(57)【要約】【課題】ＶＮＣ機能実行中に車載機の画面に表示されている情報の少なくとも一部を記憶可能にして、使い勝手を向上させる。【解決手段】本発明の車両用装置は、携帯情報端末（２）と接続され、前記携帯情報端末（２）の画面に表示される情報を入力する通信手段（５）と、タッチパネル機能を有する表示手段（６）と、前記情報に基づいて前記携帯情報端末（２）の画面を前記表示手段（６）に表示する制御手段（３）と、前記表示手段（６）のタッチパネルが操作されたときに操作信号を発生する操作手段（７）とを備え、前記通信手段（５）は前記操作信号を前記携帯情報端末（２）へ送信し、前記制御手段（３）は、特定の機能が実行されているときに前記表示手段（６）の画面に表示された表示内容の特徴を記憶する。【選択図】図２
2014011547.tif 000002
【特許請求の範囲】
【請求項１】
携帯情報端末（２）と接続され、前記携帯情報端末（２）の画面に表示される情報を入力する通信手段（５）と、
タッチパネル機能を有する表示手段（６）と、
前記情報に基づいて前記携帯情報端末（２）の画面を前記表示手段（６）に表示する制御手段（３）と、
前記表示手段（６）のタッチパネルが操作されたときに操作信号を発生する操作手段（７）とを備え、
前記通信手段（５）は前記操作信号を前記携帯情報端末（２）へ送信し、
前記制御手段（３）は、特定の機能が実行されているときに前記表示手段（６）の画面に表示された表示内容の特徴を記憶することを特徴とする車両用装置。
【請求項２】
前記制御手段（３）は、前記携帯情報端末（２）の画面に画像を表示する際に必要な種々の制御情報の信号を前記携帯情報端末（２）から受信し、この受信した信号に基づいて前記特定の機能を判断することを特徴とする請求項１記載の車両用装置。
【請求項３】
前記制御手段（３）は、前記表示内容の特徴として、前記表示手段（６）の画面の全体または一部を記憶することを特徴とする請求項１または２記載の車両用装置。
【請求項４】
前記制御手段（３）は、前記表示内容の特徴として、前記表示手段（６）の画面に表示された表示内容の中の少なくともテキスト情報を記憶することを特徴とする請求項１または２記載の車両用装置。
【請求項５】
前記特定の機能は電話機能であり、前記表示内容の特徴として電話番号を記憶することを特徴とする請求項４記載の車両用装置。
【請求項６】
前記制御手段（３）は、前記電話番号を電話帳に記憶することを特徴とする請求項５記載の車両用装置。
【請求項７】
前記特定の機能は地図機能であり、前記表示内容の特徴として少なくとも地点登録された場所の座標情報を記憶することを特徴とする請求項１または２記載の車両用装置。
【請求項８】
前記特定の機能は音楽機能であり、前記表示内容の特徴として少なくともお気に入りに登録された楽曲の曲名情報を記憶することを特徴とする請求項１または２記載の車両用装置。
【請求項９】
前記制御手段（３）は、前記テキスト情報の少なくとも一部が記憶済の場合には、上書きするか否かをユーザに問い合わせることを特徴とする請求項４記載の車両用装置。
【発明の詳細な説明】
【技術分野】
【０００１】
本発明は、例えばスマートフォンの画面を車両内のディスプレイに表示することが可能な車両用装置に関する。
【背景技術】
【０００２】
車両内に持ち込んだ携帯情報端末例えばスマートフォンの画面を、車載機（車両用装置）のディスプレイ（表示部）に表示する構成が知られている。この構成の場合、スマートフォンの画面に表示された地図等を車載機のディスプレイに表示する際、スマートフォン及び車載機の各画面の表示領域の大きさ等を考慮して、スマートフォンの画面に表示された画像情報を車載機のディスプレイで表示可能な形式に変換する（例えば特許文献１参照）。そして、スマートフォンの画面をそのまま車載機のディスプレイに表示し、上記ディスプレイのタッチパネルをユーザーが操作すると、タッチパネルの操作情報は車載機からスマートフォンに送信される構成となっている。このような機能は、いわゆる「ヴァーチャル・ネットワーク・コンピューティング（以下、ＶＮＣ（登録商標））機能」または「ターミナルモード（登録商標）」と称される。
【先行技術文献】
【特許文献】
【０００３】
【特許文献１】特開２０１０−１３０５５３号公報
【発明の概要】
【発明が解決しようとする課題】
【０００４】
上記従来構成では、車載機のディスプレイの画面に表示されている情報は、あくまでもスマートフォンの画面の情報であり、車載機は単なる表示機器（ディスプレイ）及び入力機器（タッチパネル）として機能しているだけである。上記構成において、例えば電話発信を行う場合、電話発信の番号入力は車載機のディスプレイの画面上で実施するが、表示されている画面はスマートフォンの画面であるため、発信した電話番号の履歴（発信履歴）はスマートフォンだけに保存されることになる。
【０００５】
ここで、車載機において、上記ＶＮＣ機能の使用を中止して、周知のハンズフリー機能の使用に切替えた場合、車載機でＶＮＣ機能実行中に発信した電話番号を車載機が記憶していないため（発信履歴を記憶していないため）、車載機内にある発信履歴に基づいて上記電話番号に再発信することができず、使い勝手がよくないという問題があった。
【０００６】
そこで、本発明の目的は、ＶＮＣ機能実行中に車両用装置の画面に表示されている情報の少なくとも一部を記憶可能にして、使い勝手を向上させることができる車両用装置を提供することにある。
【課題を解決するための手段】
【０００７】
請求項１の発明によれば、携帯情報端末（２）と接続され、前記携帯情報端末（２）の画面に表示される情報を入力する通信手段（５）と、タッチパネル機能を有する表示手段（６）と、前記情報に基づいて前記携帯情報端末（２）の画面を前記表示手段（６）に表示する制御手段（３）と、前記表示手段（６）のタッチパネルが操作されたときに操作信号を発生する操作手段（７）とを備え、前記通信手段（５）は前記操作信号を前記携帯情報端末（２）へ送信し、前記制御手段（３）は、特定の機能が実行されているときに前記表示手段（６）の画面に表示された表示内容の特徴を記憶するように構成したので、ＶＮＣ機能実行中に車両用装置の画面に表示されている情報の少なくとも一部を記憶可能になるから、使い勝手を向上させることができる。
【図面の簡単な説明】
【０００８】
【図１】本発明の第１実施形態を示す情報表示システムの電気的構成図
【図２】車載機の制御を示すフローチャート
【発明を実施するための形態】
【０００９】
以下、本発明の第１実施形態について、図１及び図２を参照して説明する。図１には、本実施形態の情報表示システムの電気的構成が示されている。情報表示システムは、車両に搭載された車載機（車両用装置）１と、車両に持ち込まれた携帯電話機（携帯情報端末）２とで構成されている。
【００１０】
車載機１は、全体を統括的に制御する制御部（制御手段）３と、ＲＯＭ、ＲＡＭ、フラッシュメモリ或いはハードディスクなどからなる記憶部（記憶手段）４と、ＵＳＢ通信部５ａ及びBluetooth通信部５ｂからなる通信部（通信手段）５と、タッチパネル機能を備えたディスプレイ等からなる表示部（表示手段）６と、表示部６のタッチパネル及び表示部６等に設けられた複数の操作スイッチなどからなる操作部７と、ＣＡＮ（Controller Area Network）等の車載ＬＡＮに接続された車両情報取得部８と、マイクロフォン及びスピーカ等からなり音声や種々の音を入出力可能な音声入出力部９とを備えている。
【００１１】
ＵＳＢ通信部５ａは、例えばＵＳＢの通信プロトコルで携帯電話機２と有線通信を行う機能を有する。尚、ＵＳＢ通信部５ａを、他の通信プロトコルで携帯電話機２と有線通信を行う機能を有するように構成しても良い。Bluetooth通信部５ｂは、例えばBluetooth（登録商標）の通信プロトコルで携帯電話機２と無線通信を行う機能を有する。尚、Bluetooth通信部５ｂを、他の通信プロトコルで携帯電話機２と無線通信を行う機能を有するように構成しても良い。
【００１２】
表示部６は、タッチパネル機能を備えており、ユーザが操作入力を行うために必要な情報やタッチ操作用の操作子イメージ、或いは、機能の実行状態に関する情報等を表示可能である。尚、表示部６に表示された内容（画面）に対するユーザによる操作入力の方法としては前述のタッチパネルによる操作入力に限らず、例えば、ジョイスティックなどの遠隔操作スイッチによる操作入力の方法も可能である。
【００１３】
操作部７は、ユーザにより上記タッチパネルまたは上記複数の操作スイッチが操作されると、ユーザの操作に応じた操作信号を制御部３へ出力する機能を有する。車両情報取得部８は、車両に搭載された各種の電子機器から車載ＬＡＮを介して種々の車両情報（車両の走行情報等）を取得し、取得した車両情報を制御部３へ出力する機能を有する。
【００１４】
一方、携帯電話機２は、例えばスマートフォンで構成されている。携帯電話機２は、全体を統括的に制御する制御部１０と、ＲＯＭ，ＲＡＭ或いはフラッシュメモリなどからなる記憶部１１と、ＵＳＢ通信部１２ａ及びBluetooth通信部１２ｂからなる通信部１２と、例えば携帯電話網及び例えば無線ＬＡＮ（Ｗｉ−Ｆｉ等）と無線通信を行う無線通信部１３と、タッチパネル機能（所謂スマートフォンタイプのタッチパネル機能）を備えたディスプレイ等からなる表示部１４と、マイクロフォン及びスピーカ等からなり音声や種々の音を入出力可能な音声入出力部１５とを備えている。
【００１５】
ＵＳＢ通信部１２ａは、通信ケーブル（図示しない）を介して接続されることでＵＳＢの通信プロトコルで車載機１と有線通信を行う。尚、ＵＳＢ通信部１２ａを、他の通信プロトコルで車載機１と有線通信を行う機能を有するように構成しても良い。Bluetooth通信部１２ｂは、電波信号によりBluetoothの通信プロトコルで車載機１と接続されることで近距離無線通信を行う。尚、Bluetooth通信部１２ｂを、他の通信プロトコルで車載機１と無線通信を行う機能を有するように構成しても良い。上記有線通信または上記近距離無線通信により、携帯電話機２の通信部１２から車載機１側の通信部５へ制御信号（例えば携帯電話機２の表示部１４の画面に画像を表示する際に必要な種々の制御情報の信号）及び画像信号（例えば携帯電話機２の表示部１４の画面に表示された画像情報の信号）を送信し、車載機１側の通信部５から携帯電話機２の通信部１２へ操作信号（例えば車載機１の表示部６のタッチパネルを操作した操作信号）を送信する。尚、上記制御信号には、携帯電話機２の画面（スマホ画面）に画像を表示動作中のアプリのＩＤ、携帯電話機２の表示部１４の画面の縦横比、着信状態通知信号（ハンズフリー通話）、発信状態通知信号（ハンズフリー通話）、音樂再生信号（ＡＶＲＣＰ（Audio/Video Remote Control Profile）やＡ２ＤＰ（Advanced Audio Distribution Profile）規格）等の情報が含まれている。
【００１６】
そして、本実施形態においては、上記ＵＳＢの通信プロトコルの有線通信によって、携帯電話機２の表示部１４の画面の表示内容をそのまま車載機１の表示部６に表示し、車載機１の表示部６のタッチパネルをユーザーが操作すると、該タッチパネルの操作情報は車載機１から携帯電話機２に送信される構成となっている。即ち、ＵＳＢの通信プロトコルの有線通信により、車載機１はいわゆるＶＮＣ機能を実行することが可能な構成となっている。
【００１７】
また、上記Bluetoothの通信プロトコルの近距離無線通信によって、車載機１と携帯電話機２はいわゆるハンズフリー接続される構成となっており、車載機１により携帯電話機２を介してハンズフリー通話することが可能な構成となっている。この構成の場合、Bluetoothの通信プロトコルの近距離無線通信により、携帯電話機２から車載機１へ携帯電話機２の着信状態通知信号、発信状態通知信号、音声信号または音楽信号等を送信し、車載機１から携帯電話機２へ着信のために必要な情報の信号、発信のために必要な情報の信号または音声信号等を送信する。
【００１８】
無線通信部１３は、電波信号により携帯電話網または無線ＬＡＮと接続されることにより、インターネットに接続したり、携帯電話の通話を行ったりすることが可能な機能を有する。尚、携帯電話機２において、地図アプリケーション（以下地図アプリと称す）が実行される場合、該地図アプリで使用される地図データは、携帯電話機２の記憶部１１内に記憶する構成としても良いし、通信部１２や無線通信部１３を通して外部から取得する構成としても良い。
【００１９】
次に、本実施形態の作用について図２を参照して説明する。図２は、車載機１の制御の内容を示すフローチャートである。図２の制御は、車載機１と携帯電話機２との間で有線通信（ＵＳＢ）及び近距離無線通信（Bluetooth）による接続が完了し、携帯電話機２の画面の表示内容（画像情報）及び制御情報が車載機１へ送信されて該車載機１の画面に表示された場合に行われる。即ち、車載機１においてＶＮＣ機能が使用されている状態で、図２の処理が実行される。
【００２０】
尚、有線通信による接続は、車載機１と携帯電話機２を通信ケーブルで接続すれば完了する。また、近距離無線通信による接続は、車載機１と携帯電話機２の間で無線通信を行う場合に必要な、例えばＢＤ（Bluetooth Device）アドレスやパスキー等の認証情報を交換すると共に、車載機１が携帯電話機２からの認証要求に基づいて認証を実施することで完了する。
【００２１】
まず、図２のステップＳ１０においては、車載機１は、携帯電話機２から着信状態通知または発信状態通知を受信したか否かを判断する。ここで、着信状態通知及び発信状態通知のいずれも受信しないときには、「ＮＯ」へ進み、ステップＳ１０へ戻り、ステップＳ１０の判断を繰り返す。上記ステップＳ１０において、着信状態通知または発信状態通知のいずれか一方を受信したときには、「ＹＥＳ」へ進み、ステップＳ２０へ進む。
【００２２】
このステップＳ２０では、車載機１の表示部６の画面に表示されている表示内容を画像認識（分析）する。そして、ステップＳ３０へ進み、上記画像認識結果に基づいて、表示内容に電話番号（テキスト情報、電話機能）が含まれているか否か（即ち、表示内容から電話番号を抽出できたか否か）を判断する。ここで、表示内容に電話番号が含まれていると判断された場合には、「ＹＥＳ」へ進み、ステップＳ４０へ進み、上記電話番号を車載機１の記憶部４内の保存領域例えば電話帳内に着信履歴または発信履歴として登録する。この後は、ステップＳ１０へ戻り、ステップＳ１０の判断を繰り返す。
【００２３】
また、上記ステップＳ３０において、表示部６の画面の表示内容に電話番号が含まれていないと判断された場合には、「ＮＯ」へ進み、ステップＳ１０へ戻り、ステップＳ１０の判断を繰り返す。
【００２４】
尚、ステップＳ３０において、画像認識結果に基づいて、表示部６の画面の表示内容に電話番号が含まれているか否かを判断する場合に、表示部６の全画面の表示内容に電話番号が含まれているか否かを判断する代わりに、表示部６の画面において電話番号が表示される領域（電話番号表示領域）がユーザにより予め設定されている場合には、その設定された領域を優先して画像認識（分析）するように構成することが好ましい。
【００２５】
上記した構成の本実施形態によれば、車載機１においてＶＮＣ機能が使用され、携帯電話機２の画面が車載機１の表示部６に表示されている状態で、特定の機能例えば携帯電話機能（電話機能）が実行されているときに、表示部６の画面に表示された表示内容の特徴例えば電話番号を記憶部４内の電話帳に記憶するように構成したので、ＶＮＣ機能の使用を止めて、車載機１をハンズフリー機能で使用する場合に、上記ＶＮＣ機能使用時に記憶した電話番号を使用して電話発信することができる。そして、本実施形態では、表示内容の特徴例えば電話番号（即ち、テキスト情報）を記憶するだけであるので、記憶容量を最小限とすることができる。また、本実施形態では、着信状態通知または発信状態通知を受信したことをトリガにして、表示内容に含まれた電話番号を抽出し、抽出した電話番号を車載機１の記憶部４の電話帳内に着信履歴または発信履歴として登録するように構成したので、車載機１の電話帳の着信履歴または発信履歴の更新（登録）処理をリアルタイムに実行することができる。
【００２６】
以上説明した実施形態に加えて以下のような構成を採用しても良い。
上記実施形態では、車載機１の表示部６の画面に表示されている表示内容を画像認識（分析）する際に、電話番号が含まれているか否かを判断したが、この判断に加えて、電話番号が含まれていると判断した電話番号の表示位置から設定距離の範囲内にある文字列を認識（解析）することにより、この認識した文字列を発信先または着信元の情報として抽出した電話番号に紐付けて電話帳に登録することが好ましい。
【００２７】
また、車載機１の記憶部４内の電話帳に電話番号を登録する際に、その電話番号が既に登録済みであると判断した場合には、車載機１の記憶部４内の電話帳情報に紐付けて履歴に保存するように構成することも可能である。
【００２８】
また、上記実施形態では、着信状態通知または発信状態通知を受信したことをトリガにして、表示内容に電話番号が含まれているか否かを判断し、それ以降の処理を実行するように構成したが、これに限られるものではなく、車載機１は、携帯電話機２から車載機１へ送信された制御信号の中に含まれるアプリケーションのＩＤ（以下アプリＩＤと称す）の情報に基づいて、車載機１の表示部６の画面に表示動作を実行しているアプリケーションが電話帳機能のアプリケーションである場合に、表示内容に電話番号が含まれているか否かの判断処理及びそれ以降の処理を実行するように構成しても良い。
【００２９】
更に、アプリＩＤが地図機能に対応するアプリケーションである場合には、車載機１の表示部６の画面に表示されている表示内容の画像分析を行うことにより、例えば、画面タイトル（通常左上部分に表示される）が「地点登録」である場合には、更に画面の表示内容を画像分析して、少なくとも地点登録された場所の座標情報を抽出し、該座標情報を車載機１の記憶部４内に地点情報として記憶するように構成することが好ましい。このように構成すると、車載機１単独で地図機能のアプリケーションを実行する場合に、携帯電話機２で登録された地点情報を車載機１側で有効に利用することができる。
【００３０】
また、アプリＩＤが音楽機能に対応するアプリケーションである場合には、車載機１の表示部６の画面に表示されている表示内容の画像分析により、例えば、画面タイトル（通常左上部分に表示される）が「お気に入り登録」である場合には、更に表示内容の画像を分析して、少なくともお気に入り登録された楽曲の曲名を抽出し、抽出した楽曲の曲名を記憶するように構成しても良い。この構成によれば、車載機１単独で音楽機能のアプリケーションを実行可能な場合に、携帯電話機２でお気に入りに登録された楽曲情報を車載機１においても有効に利用することができる。
【００３１】
また、車載機１の表示部６の画面に表示されている表示内容の画像を分析し、抽出したテキスト情報の少なくとも一部（例えば電話番号や名前）が登録（記憶）済みの場合には、上書きするか否かをユーザに問合せるように構成しても良い。この構成の場合、ユーザは、上記問合せに対して、「登録処理中止」、「上書き登録」または「追加登録」を回答可能に構成することが好ましい。また、上記問合せを実行する場合、登録済み内容と、抽出した内容とを併記したり、変更部分（両者が異なる部分）を強調表示したりするように構成しても良い。
【００３２】
例えば、同じ人物で電話番号が変更になったとユーザが判断した場合には、ユーザは、「上書き登録」を選択することができる。また、同じ電話番号で結婚などにより名前が変わったとユーザが判断した場合も、ユーザは、「上書き登録」を選択するとができる。また、同じ名前だが別の人物とユーザが判断した場合には、ユーザは、「追加登録」を選択することができる。この場合には、後で、ユーザは、追加登録した名前を適宜修正することが好ましい。また、同じ人物で、自宅や携帯電話などの別の電話番号であるとユーザが判断した場合に対応して、「電話番号を追加する」という登録機能を設けても良い。
【００３３】
尚、上記実施形態や上記各変形形態では、車載機１の表示部６の画面に表示されている表示内容の一部（電話番号や地点情報等）を記憶するように構成したが、これに代えて、表示内容の全体（画面の全体）を記憶するように構成しても良い。この場合、画像認識（分析）したテキスト情報を記憶しても良いし、画像情報を記憶しても良いし、テキスト情報と画像情報を混在させて記憶しても良い。
【００３４】
また、上記実施形態や上記各変形形態では、車載機１と携帯電話機２とを、有線接続及び近距離無線接続するように構成したが、これに限られるものではなく、有線接続するだけでも良いし、近距離無線接続するだけでも良い。有線接続するだけの構成の場合には、必要な画像情報及び制御情報を有線接続を介して携帯電話機２から車載機１へ送信し、操作情報を有線接続を介して車載機１から携帯電話機２へ送信するように構成すれば良い。また、近距離無線接続するだけの構成の場合には、必要な画像情報及び制御情報を近距離無線接続を介して携帯電話機２から車載機１へ送信し、操作情報を近距離無線接続を介して車載機１から携帯電話機２へ送信するように構成すれば良い。
【符号の説明】
【００３５】
図面中、１は車載装置（車両用装置）、２は携帯電話機（携帯情報端末）、３は制御部（制御手段）、４は記憶部、５は通信部（通信手段）、６は表示部（表示手段）、７は操作部、９は音声入出力部、１０は制御部、１２は通信部、１４は表示部を示す。
【図１】
2014011547.tif 000003
【図２】
2014011547.tif 000004